(57)【特許請求の範囲】
【請求項１】
給水源から給水対象に供給する水を一旦受容する水位調整タンクと、該水位調整タンクに設けられ、前記給水対象の設計水位を維持するように水位調整タンク内の水位を制御しつつ前記給水対象に水を自動補給する設計水位給水機構とからなり、該設計水位給水機構は、前記水位調整タンク内に立設され、外力により回動可能なねじ軸と、該ねじ軸に螺合され、ねじ軸の回動により上下動する昇降ガイド体と、該昇降ガイド体に設けられ、可撓管を介して前記給水源から供給される水を前記水位調整タンク内に吐出する給水口と、該水位調整タンク内の水位に応じて該給水口を開閉するフロート弁とから構成してあることを特徴とする設計水位給水装置。
【請求項２】
前記給水対象に、不凍液を混合した水を供給するようにしたことを特徴とする請求項１記載の設計水位給水装置。
【請求項３】
給水源から給水対象に供給する水を水位調整タンクに一旦受容し、前記給水対象の設計水位を維持するように、前記水位調整タンク内に立設され、外力により回動可能なねじ軸に螺合して上下動可能な昇降ガイド体に給水口を設け、可撓管を介して前記給水源から供給される水を該給水口から前記水位調整タンク内に吐出し、該水位調整タンク内の水位に応じて該給水口はフロー弁により開閉するようにした設計水位給水機構により、該水位調整タンク内の水位を制御しつつ水位調整タンクから前記給水対象に水を自動補給するようにした設計水位給水方法。
【発明の詳細な説明】
【技術分野】
【０００１】
本発明は、例えばヒートアイランド現象を抑制するための保水性舗装層、スポーツ用天然芝グランド、畑等において所定の設計水位を常時維持するように給水する設計水位給水装置及び設計水位給水方法に関する。
【背景技術】
【０００２】
地球温暖化や人口集中により都市部で生じているヒートアイランド現象を抑制する対策として、保水性舗装路を敷設してこれに水を供給し、気化熱により大気温度の上昇を低減するシステムが次第に使用されるようになっている。また、例えばサッカー競技場は天然芝を使用しており、芝の生育と補修には水の供給が不可欠であることから、保水性のある地盤に構成して定期的に電気を動力源として、或いは水道水の圧力により作動する散水器により散水することが行われている。また、ハウス栽培で地盤に所定の水を常時供給することも行われている。
【先行技術文献】
【特許文献】
【０００３】
【特許文献１】特開２００６−１６１３４３号公報
【発明の概要】
【発明が解決しようとする課題】
【０００４】
従来の給水装置は、送水にポンプを使用し、水位の管理・維持にセンサを使用する等、駆動源に電気を用いる構成であるため、装置が大型化して価格も高価であり、設置場所にも制約を受けるために使用上の自由度に欠けるという欠点がある。また、路面の凍結防止に使用する場合のように、温度変化等の外部環境の変化に弱いという欠点がある。
【０００５】
特許文献１に示す先行技術も、保水性舗装材に水を供給する自動給水装置は、保水性舗装材に水を灌水する灌水手段と、水が貯留される貯水槽と、直流電源で作動し灌水手段に貯水槽に貯留された水を供給する給水手段と、給水手段に供給される電力を発電する太陽光発電機とを備えた構成からなるものであり、製造コスト、設置場所と設置コスト、操作性等を考慮すると普及性の面での問題がある。
【０００６】
本発明は上述した従来技術の未解決の問題点に鑑みなされたもので、給水対象への給水に電源や人力を用いることなく給水対象の設計水位に自動的に常時給水することができ、装置費用が安価で、ランニングコストも不要であり、しかも作動時静粛なことから、道路、建屋の屋上、競技場、畑等、様々な場所に容易に設置して使用することが出来る設計水位給水装置及び設計水位給水方法を提供することを目的とする。
【課題を解決するための手段】
【０００７】
上述した課題を解決するために構成した請求項１に係る本発明の手段は、給水源から給水対象に供給する水を一旦受容する水位調整タンクと、該水位調整タンクに設けられ、前記給水対象の設計水位を維持するように水位調整タンク内の水位を制御しつつ前記給水対象に水を自動補給する設計水位給水機構とからなり、該設計水位給水機構は、前記水位調整タンク内に立設され、外力により回動可能なねじ軸と、該ねじ軸に螺合され、ねじ軸の回動により上下動する昇降ガイド体と、該昇降ガイド体に設けられ、可撓管を介して前記給水源から供給される水を前記水位調整タンク内に吐出する給水口と、前記水位調整タンク内の水位に応じて該給水口を開閉するフロート弁とから構成してある。
【０００８】
そして、前記給水対象に、不凍液を混合した水を供給するとよい。
【０００９】
また、請求項３に係る本発明を構成する手段は、給水源から給水対象に供給する水を水位調整タンクに一旦受容し、前記給水対象の設計水位を維持するように、前記水位調整タンク内に立設され、外力により回動可能なねじ軸に螺合して上下動可能な昇降ガイド体に給水口を設け、可撓管を介して前記給水源から供給される水を該給水口から前記水位調整タンク内に吐出し、該水位調整タンク内の水位に応じて該給水口はフロー弁により開閉するようにした設計水位給水機構により、該水位調整タンク内の水位を制御しつつ水位調整タンクから前記給水対象に水を自動補給するようにしたものからなる。
【発明の効果】
【００１０】
本発明は叙上の如く構成したから、下記の諸効果を奏する。
（１）水位調整タンク内に設けた水位維持機構により、給水対象に設計水位を維持するように調整して自動給水するから、給水対象に必要な給水を確実に行うことができる。
（２）水位調整タンク内に設ける設計水位給水機構は、外力によりねじ軸を回動操作して昇降ガイド体を上下動させて給水口を開閉するフロート弁の作動水位を設定出来る構成にしたから、簡単な操作できめ細かい水位設定を容易にかつ正確に行うことが出来るし、センサ等の精密電子機器を使用しないから、外部環境の変化特に外気温の変化に影響されることなく確実に作動する。
（３）設計水位給水装置は、電気を使用しないで作動可能であるから、自由に設置場所を選択することができる。
（４）給水対象に、不凍液を混合した水を供給することにより、冬期間の路面凍結を防止して歩行者や車両のスリップ事故を防止することができるし、不凍液混合水を常時自動給水するので道路の維持管理が容易である。
（５）給水源から給水対象に供給する水を水位調整タンクに一旦受容し、前記給水対象の設計水位を維持するように該水位調整タンク内の水位を調整しつつ水位調整タンクから給水対象に水を自動補給するようにしたから、水位設定管理が容易である。
【図面の簡単な説明】
【００１１】
【図１】本発明の実施の形態に係る設計水位給水装置を用いる保水システムの構成図である。
【図２】設計水位給水装置の使用状態を示す縦断面図である。
【図３】設計水位給水装置の縦断面図である。
【図４】図３中のＩＶ−ＩＶ矢示方向断面図である。
【図５】設計水位給水装置の作動状態を示す説明図である。
【発明を実施するための形態】
【００１２】
以下、本発明の実施の形態を図面に基づき詳述する。図において、１は設計水位給水装置、２は該設計水位給水装置１を構成する水位調整タンクを示し、該水位調整タンクは底板２Ａ、胴板２Ｂ及び天板２Ｃとから略円筒状に形成してあり、下部側には送水管３が接続してある。
【００１３】
４は前記水位調整タンク２に設けた設計水位給水機構を示す。５は該設計水位給水機構４を構成し、水位調整タンク２内の片側に立設したねじ軸で、該ねじ軸５は丸棒の中間部に雄ねじ部５Ａを刻設し、水位調整タンク２の天板２Ｃから外側上方に突出する上端側は横断面四角形のトルク掛け部５Ｂに形成したものからなり、下端は底板２Ａに設けた軸受６により、上端側は天板２Ｃに設けたスリーブ７によって回動可能に支持されている。そして、ねじ軸５は図示しないハンドルを該トルク掛け部５Ｂに嵌合して回動することにより、正逆方向に回動可能になっている。
【００１４】
８は前記ねじ軸５に対向して胴板２Ｂに固着した回動規制体で、該回動規制体８は前面８Ａが平坦な平面略三日月形の縦長ブロックからなり、平坦面８Ａには縦方向に案内溝８Ｂが形成してある。９はねじ軸５に螺合して設けた昇降ガイド体で、該昇降ガイド体９は一側端部９Ａが前記案内溝８Ｂに摺動可能に挿嵌してあり、ねじ軸５の回動に供回りすることなく上下動するようにしてある。
【００１５】
１０は前記昇降ガイド体９の他側端に設けた給水口を示し、該給水口１０には屈曲可能な可撓管１１の先端が接続してある。１２は給水口１０に設けたフロート弁で、該フロート弁１２は給水口１０内に回動可能に設けた弁本体１２Ａと、該弁本体１２Ａに基端側を固着したフロートアーム１２Ｂと、該フロートアーム１２Ｂの先端に設けたフロートボール１２Ｃとから構成してある。
【００１６】
１３は水位調整タンクに給水する給水源としての貯水タンクで、該貯水タンク１３には前記可撓管１１の後端が接続してあり、貯水タンク１３には水道水や地下水が補給される。なお、貯水タンク１３を用いずに水道水を給水源として使用してもよく、この場合には水道管１４に可撓管１１を直接接続する。
【００１７】
１５は給水対象として道路に敷設する保水性舗装部を示し、該保水性舗装部１５は無数の空隙を形成したパネル状の透水性路盤１５Ａと、管壁に多数の孔を有し、該透水性路盤１５Ａに予め配管した複数本の通水管１５Ｂと、該通水管１５Ｂを水位調整タンク２と連通する分配管１５Ｃと、透水性路盤１５Ａの上面を被覆する舗装層１５Ｄとから構成してある。
【００１８】
次に、上述の構成からなる設計水位給水装置１の設置について説明する。例えば道路に給水する場合を例に挙げると、ブロック状の透水性路盤１５Ａを道路に敷設し、透水性路盤１５Ａに予め埋設してある通水管１５Ｂ、１５Ｂ、１５Ｂに接続した分配管１５Ｃを送水管３に接続し、透水性路盤１５Ａの上面を舗装層１５Ｄで被装する。また、透水性路盤１５Ａの高さに合わせて道路脇等の適宜の場所に水位調整タンク２を配置し、水位調整タンク２に給水する貯水タンク１３との間に配管する。
【００１９】
保水性舗装部１５と水位調整タンク２の設置工事が完了したら、保水性舗装部１５の保水に必要な設計水位Ｌに合わせて設計水位給水機構４の水位設定操作を行う。ねじ軸５のトルク掛け部５Ｂに図示しないハンドルを嵌着し、所望の方向に回転して昇降ガイド体９を昇降させ、フロートボール１２Ｃが設計水位Ｌと略同じ位置で弁本体１２Ａが給水口１０を閉弁するように設定する。これにより、保水性舗装部１５に設計水位Ｌ以上の水が供給されることなく水位を保持する設定ができる。この状態で、貯水タンク１３から可撓管１１を介して水位調整タンク２に水が供給されると、フロートボール１２Ｃは浮力により所定の位置に浮上して弁本体１２Ａが給水口１０を閉弁し、貯水タンク１３からの給水を停止する。
【００２０】
保水性舗装部１５の水が蒸発等で減少すると、水位調整タンク２から順次水が供給されて設計水位Ｌは保持されるが、水位調整タンク２内の水位は保水性舗装部１５と略同一の水位に常時あるから、保水性舗装部１５の水位低下に伴ってフロートボール１２Ｃも降下し、弁本体１５Ａが開弁して水位調整タンク２内に水が補給され、速やかに設計水位Ｌに回復する。なお、図３及び図５は水位調整タンク２内の水位とフロートボール１２Ｃの変化を夫々示すが、理解を助けるために変位量は過大に表してある。
【００２１】
このように、保水性舗装部１５に供給した水が設計水位Ｌより減少し、水位調整タンク２内の水位も低下してフロートボール１２Ｃが降下すると、給水口１０が開弁して貯水タンク１３から水が補給されることで、保水性舗装層１５は設計水位Ｌを常時保持することができる。
【００２２】
以上の実施の形態の説明から明らかなように、本発明によれば、ねじ軸５を回動操作して給水口１０の高さ、即ちフロート弁１２の作動位置を給水対象の設計水位Ｌに合わせるという操作だけで、設計水位Ｌの水深が異なるどのような場所での使用にも対応できるし、時期によって設計水位Ｌの水深を変更する場所での使用にも対応することができるという優れた機能を有している。
【００２３】
なお、本実施の形態では、ねじ軸５は手動で回動操作するものとして述べたが、ねじ軸５に駆動モーターを連結し、該駆動モーターを遠隔操作により回動操作するようにしてもよい。
【００２４】
また、本実施の形態では、給水対象として道路に敷設する保水性舗装部１５を例に挙げて説明したが、例えば屋上庭園、運動グランド、畑等給水が必要な適宜の場所に敷設してもよく、この場合には保水性舗装部の構造は必要な強度の構造にすればよい。
【００２５】
なお、保水性舗装部１５での路面凍結を防止する場合は、水位調整タンク２内に不凍液を適量ずつ常時供給する手段を設けるとよい。
【符号の説明】
【００２６】
１        設計水位給水装置
２        水位調整タンク
４        設計水位給水機構
５        ねじ軸
９        昇降ガイド体
１０      給水口
１１      可撓管
１２      フロート弁
１３      貯水タンク（給水源）
１５      保水性舗装部（給水対象）
【図１】
0005518435.tif 000002
【図２】
0005518435.tif 000003
【図３】
0005518435.tif 000004
【図４】
0005518435.tif 000005
【図５】
0005518435.tif 000006